(57)【要約】【課題】屋上階付近で吹く風による排水管路の急激な負圧状態を抑制できる排水管路の通気構造を提供すること。【解決手段】本発明の排水管路の通気構造Ｍ１は、建物に設けられた排水管路１２の上端側に、建物の屋外Ｏ側で開口する通気口１８を先端側に配置させた大気開放流路１４と、排水管路１２の上端側で大気開放流路１４と分岐し、先端側を建物の屋内Ｉ側で開口させる分岐流路２０と、が配設される。分岐流路２０の先端側の開口２４には、通気口１８付近での風の通過による排水管路１２の負圧発生時、開口２４から分岐流路２０内に空気Ａを流入させるように開弁する負圧弁３５を備えた弁機構２５が、配設されている。【選択図】図１
2006322170.tif 000002
【特許請求の範囲】
【請求項１】
建物に設けられた排水管路の上端側に配設されて、排水時の排水管路内の圧力変動を抑えるように構成された排水管路の通気構造であって、
前記排水管路の上端側に、前記建物の屋外側で開口する通気口を先端側に配置させた大気開放流路と、前記排水管路の上端側で前記大気開放流路と分岐し、先端側を前記建物の屋内側で開口させる分岐流路と、が配設され、
前記分岐流路の先端側の開口に、前記通気口付近での風の通過による前記排水管路の負圧発生時、前記開口から前記分岐流路内に空気を流入させるように開弁する負圧弁を備えた弁機構が、配設されていることを特徴とする排水管路の通気構造。
【請求項２】
前記弁機構が、前記通気口から流入する風による前記排水管路の正圧発生時、前記分岐流路から空気を流出させるように開弁する正圧弁を備えて、構成されていることを特徴とする請求項１に記載の排水管路の通気構造。
【発明の詳細な説明】
【技術分野】
【０００１】
本発明は、建物に設けられた排水管路の上端側に配設されて、排水時の排水管路内の圧力変動を抑えるように構成された排水管路の通気構造に関する。
【背景技術】
【０００２】
従来、排水管路における建物の屋上階には、排水管路内の圧力変動を抑えるように、排水管路の通気口を開口させていた。そして、具体的には、この排水管路の通気構造は、排水管路の上端側を構成して、上端の開口を排水管路の通気口とするように、屋上階から上方へ突出される通気筒部を設け、さらに、通気筒部内への異物や雨等の侵入を防止可能に、通気口を上方から覆うように、ベントキャップを、通気口の通気性を確保しつつ、通気筒部に取り付けて、構成されていた（例えば、特許文献１参照）。
【特許文献１】特開２００３−５６０３１号公報
【発明の開示】
【発明が解決しようとする課題】
【０００３】
しかし、従来の排水管路の通気構造では、排水管路が高層の建物に設けられている場合、屋上階で吹く風の影響により、通気口から空気を抜くように、通気口付近に負圧を生じさせる場合があった。そして、台風等の風力の強い風が吹いて、排水管路内に大きな負圧が急激に発生すれば、排水機器の封水トラップの破封を招いてしまい、好ましくない。
【０００４】
本発明は、上述の課題を解決するものであり、屋上階付近で吹く風による排水管路の急激な負圧状態を抑制できる排水管路の通気構造を提供することを目的とする。
【課題を解決するための手段】
【０００５】
本発明に係る排水管路の通気構造では、建物に設けられた排水管路の上端側に配設されて、排水時の排水管路内の圧力変動を抑えるように構成された排水管路の通気構造であって、
排水管路の上端側に、建物の屋外側で開口する通気口を先端側に配置させた大気開放流路と、排水管路の上端側で大気開放流路と分岐し、先端側を建物の屋内側で開口させる分岐流路と、が配設され、
分岐流路の先端側の開口に、通気口付近での風の通過による排水管路の負圧発生時、開口から分岐流路内に空気を流入させるように開弁する負圧弁を備えた弁機構が、配設されていることを特徴とする。
【０００６】
本発明に係る排水管路の通気構造では、屋上階付近で吹く風（台風等）の影響により、大気開放流路の通気口から空気を抜くように、急激に、通気口付近に大きな負圧を生じさせても、分岐流路の負圧弁が開弁して、分岐流路の先端側の開口から空気を流入させることから、排水管路の大気開放流路の負圧状態を解消することができる。そして、分岐流路は、排水管路の上端側で大気開放流路から分岐して形成されて、排水管路に接続する排水機器より通気口側で開口しているため、排水管路に接続されている排水機器に、大気開放流路の瞬間的な負圧状態の影響を与えず、その排水機器の封水トラップの破封を、的確に防止できる。勿論、この負圧弁を設けた分岐流路の開口は、屋内側に開口されているため、風の影響を受けることは無い。
【０００７】
したがって、本発明に係る排水管路の通気構造では、屋上階付近で吹く風による排水管路の急激な負圧状態を抑制することができて、排水機器の封水トラップの破封を的確に防止できる。
【０００８】
なお、本発明に係る排水管路の通気構造では、通常時には、大気開放流路において空気を流通させるものであって、分岐流路に設ける弁機構は、通気口付近の急激な負圧時に、開弁すればよく、感度のよいものを使用する必要は無い。そのため、メンテナンスも容易となる。
【０００９】
また、分岐流路は、建物の屋内側に開口を配設させているため、屋外側に開口する大気開放流路の通気口が、積雪等によって塞がれても、負圧弁が開弁して、排水管路の負圧を解消でき、本発明に係る排水管路の通気構造は、寒冷な気候の地域に敷設する排水管路に、好適となる。
【００１０】
そして、分岐流路に設ける弁機構が、通気口から流入する風による排水管路の正圧発生時、分岐流路から空気を流出させるように開弁する正圧弁を備えて、構成されていれば、通気口内に風が吹き込んで、大気開放流路に急激な正圧が生じても、正圧弁が開弁して、分岐流路の開口から空気を流出させることができる。そのため、通気口付近を通過する風によって、排水管路が、急激に負圧状態、あるいは、急激に正圧状態となっても、その圧力変動を的確に抑制できて、排水管路に接続された排水機器の封水トラップの破封を、一層、確実に防止することができる。
【発明を実施するための最良の形態】
【００１１】
以下、本発明の一実施形態を図面に基づいて説明すると、第１実施形態の排水管路の通気構造Ｍ１は、図１に示すように、排水管路１２の上端側に、建物の屋外Ｏ側で開口する通気口１８を先端側に配置させた大気開放流路１４と、排水管路１２の上端側で大気開放流路１４と分岐し、先端側の開口２４を建物の屋内Ｉ側に配置させる分岐流路２０と、を配設させて構成されている。
【００１２】
大気開放流路１４は、実施形態の場合、最上階８の天井９を経て上方へ延びる通気管１３・１３と、屋上階１のコンクリートスラブからなる床２に配置される防水継手１５と、から構成されている。
【００１３】
防水継手７は、建物の屋上階１の床２を貫通する通気管１３の上端と接続され、複数の取付孔１６ａを有した円環状の取付座部１６と、取付座部１６の中央から上方へ立ち上がる円筒状の通気筒部１７と、を備えて構成されている。通気筒部１７の外周面には、屋上階１の上面２ａに施工された防水シート５が、立ち上げられるとともに巻き付けられ、そして、銅線等の締結材６を利用して、固定されている。
【００１４】
なお、屋上階１の床２と通気管１３との間には、スペーサ３が介在され、さらに、スペーサ３の上面側には、防水継手１５をビス止めするための打込治具４が固定されている。
【００１５】
また、通気筒部１７の上端に配置されて大気に開口する通気口１８には、内部に、雨水が入り込まないように、通気性を確保して、ベントキャップ１９が、取り付けられている。
【００１６】
分岐流路２０は、実施形態の場合、最上階８の天井９と屋上階１の床２との間の通気管１３・１３間に配置される管継手２１と、管継手２１の横枝接続部２１ａに接続される通気管２２と、通気管２２に接続される曲り継手２３と、曲り継手２３に接続される弁機構２５と、を備えて構成されており、弁機構２５の弁体３７（図２参照）が、分岐流路２０の先端側の開口２４を、通常時、閉塞している。なお、分岐流路２０の先端側の開口２４は、最上階８の天井９と屋上階１の床２との間の屋内Ｉ側に配置されている。なお、図１に示す符号１０は、通気管２２の周囲を埋めたモルタルである。
【００１７】
弁機構２５は、図２に示すように、二重管状の略円筒状のベース２６、上蓋３１、止め環３３、及び、負圧弁３５、から構成されている。
【００１８】
ベース２６は、下端の接続部２７ｂを曲り継手２３と接続させる円筒状の内筒部２７と、内筒部２７の上端２７ａの周囲に、開口２４を設けて配置される円筒状の外筒部２８と、を備えて構成されている。なお、外筒部２８は、複数の連結部２９により、開口２４を設けて、内筒部２７と連結されている。
【００１９】
上蓋３１は、ベース２６の上方に配置される円板状の天井壁３１ａと、天井壁３１ａの外周縁から下方に延びる円筒状の周壁部３１ｃと、を備えて構成されるとともに、天井壁３１ａの中央下面には、下方へ延びるガイドロッド３１ｂが、突設されている。
【００２０】
止め環３３は、ベース２６の外筒部２８の外周縁付近を、周壁部３１ｃの下端付近とともに、挟持するようにして、周壁部３１ｃの下端外周に螺合する構成としている。止め環３３は、外筒部２８の外周縁付近を間にして、周壁部３１ｃと結合されて、上蓋３１をベース２６に固定することとなる。
【００２１】
負圧弁２５は、ゴム等の高分子弾性体からなる薄板状で円環状の弁体３７と、弁体３７を保持する略円板状の保持プレート３６と、から構成されている。弁体３７は、ベース２６の内筒部２７と外筒部２８との間の開口２４を閉塞可能とするように、内筒部２７と外筒部２８との上端２７ａ・２８ａに上方から当接する形状に設定されている。すなわち、内筒部２７と外筒部２８との上端面が、弁体３７の接触する弁座３５ａとなる。また、保持プレート３６は、上下方向に貫通する複数の挿通孔３６ａを備えた略円板状として、外周縁の外周部３６ｂで、弁体３７の内周縁を保持している。さらに、保持プレート３６の中央には、上蓋３１のガイドロッド３１ｂを挿通させて、保持プレート３６の上下移動時に、ガイドロッド３１ｂに摺動されて案内されるように、ガイド筒部３６ｃが、配設されている。
【００２２】
この負圧弁２５では、分岐流路２０の内圧が大気圧より低くなった負圧時、弁体３７が、図２のＡからＢに示すように、弁座３５ａから離れるように浮き上がって、開弁され、開口２４を経て、周囲の空気Ａを分岐流路２０内に流入させることとなる。
【００２３】
すなわち、この第１実施形態の排水管路１２の通気構造Ｍ１では、屋上階１付近で吹く風（台風等）の影響により、大気開放流路１４の通気口１８から空気Ａを抜くように、急激に、通気口１８付近に大きな負圧を生じさせても、図２のＢに示すように、分岐流路２０の負圧弁３５が開弁して、分岐流路２０の先端側の開口２４から空気Ａを流入させることから、排水管路１２の大気開放流路１４の負圧状態を解消することができる。そして、分岐流路２０は、排水管路１２の上端側で大気開放流路１４から分岐して形成されて、排水管路１２に接続する排水機器（図示せず）より通気口１８側で開口しているため、排水管路１２に接続されている排水機器に、大気開放流路１４の瞬間的な負圧状態の影響を与えず、その排水機器の封水トラップの破封を、的確に防止できる。勿論、この負圧弁３５を設けた分岐流路２０の開口２４は、屋内Ｉ側に開口されているため、風の影響を受けることは無い。
【００２４】
したがって、第１実施形態の排水管路１２の通気構造Ｍ１では、屋上階１付近で吹く風による排水管路１２の急激な負圧状態を抑制することができて、排水機器の封水トラップの破封を的確に防止できる。
【００２５】
なお、実施形態の排水管路１２の通気構造Ｍ１では、通常時には、大気開放流路１４において空気を流通させるものであって、分岐流路２０に設ける弁機構２５は、通気口１８付近の急激な負圧時に、開弁すればよく、感度のよいものを使用する必要は無い。そのため、メンテナンスも容易となる。
【００２６】
また、分岐流路２０は、建物の屋内Ｉ側に開口２４を配設させているため、屋外Ｏ側に開口する大気開放流路１４の通気口１８が、積雪等によって塞がれても、負圧弁３５が開弁して、排水管路１２の負圧を解消でき、実施形態の通気構造Ｍ１は、寒冷な気候の地域に敷設する排水管路１２に、好適となる。ちなみに、このような大気開放流路１４の通気口１８が、積雪等によって塞がれる機会が多い場合には、図３に示す第２実施形態の通気構造Ｍ２に示すように、分岐流路２０Ａの内径寸法Ｄ１を、大気開放流路１４の内径寸法Ｄ０と同等とするように、構成して、分岐流路２０Ａでの空気Ａの流量を、大気開放流路１４での空気Ａの流量と同等レベルに確保できるように、構成してもよい。
【００２７】
さらに、弁機構としては、図３・４に示す弁機構２５Ａのように、負圧弁と正圧弁とを並設する正負圧弁タイプとしてもよい。この弁機構２５Ａは、二つの弁体４１・４２を保持プレート４０に保持させた正負圧弁３９を備えて構成されている。なお、この弁機構２５Ａは、負圧弁３５の代わりに正負圧弁３９を配設しただけで、他のベース２６、上蓋３１、及び、止め環３３は、弁機構２５と同様である。
【００２８】
正負圧弁３９の二つの弁体４１・４２は、ゴム等の高分子弾性体からなる薄板状で円環状とし、弁体４１が、弁機構２５の負圧弁３５と同様に、ベース２６の内筒部２７と外筒部２８との間の開口２４を閉塞可能とするように、内筒部２７と外筒部２８との上端２７ａ・２８ａに上方から当接する形状に設定されている。すなわち、内筒部２７と外筒部２８との上端面が、弁体４１の接触する弁座３９ａとなる。
【００２９】
また、保持プレート４０は、上下方向に貫通する複数の挿通孔４０ａを備えた略円板状として、外周縁の外周部４０ｂで、弁体４１の内周縁を保持している。さらに、保持プレート４０の中央には、上蓋３１のガイドロッド３１ｂを挿通させて、保持プレート４０の上下移動時に、ガイドロッド３１ｂに摺動されて案内されるように、ガイド筒部４０ｃが、配設されている。さらに、保持プレート４０は、下面側の挿通孔４０ａの外周縁付近に、弁体４２の外周縁を保持する保持部４０ｄを、配設させている。
【００３０】
弁体４２は、保持プレート４０の下面側の挿通孔４０ａの周縁に当接するように配設されている。そして、保持プレート４０の下面側の挿通孔４０ａの周縁が、弁体４２の接触する弁座３９ｂとなる。
【００３１】
この正負圧弁３９では、分岐流路２０Ａの内圧が大気圧より低くなった負圧時、図４のＡからＢに示すように、弁体４１が、弁座３９ａから離れるように外周縁４１ａ側を浮き上がらせ、かつ、弁体４２が、弁座３９ｂから離れるように内周縁４２ａ側を下降させて、開弁され、開口２４と挿通孔４０ａとを経て、周囲の空気Ａを分岐流路２０Ａ内に流入させることとなる。
【００３２】
また、この正負圧弁３９では、分岐流路２０Ａの内圧が大気圧より高くなった正圧時、図４のＡからＣに示すように、弁体４１が、弁座３９ａから離れるように、保持プレート４０とともに、浮き上がって、開弁され、開口２４を経て、分岐流路２０内の空気Ａを、大気中へ流出させることとなる。
【００３３】
したがって、このような弁機構２５Ａを設けた通気構造Ｍ２では、通気口１８内に風が吹き込んで、大気開放流路１４に急激な正圧が生じても、正圧弁３９が開弁して、分岐流路２０Ａの開口２４から空気を流出させることができる。そのため、通気口１８付近を通過する風によって、排水管路１２が、急激に負圧状態、あるいは、急激に正圧状態となっても、その圧力変動を的確に抑制できて、排水管路１２に接続された排水機器の封水トラップの破封を、一層、確実に防止することができる。
【００３４】
なお、分岐流路２０Ａに正圧弁を配設した場合、分岐流路２０Ａ内の空気Ａを大気中に流出させても、その流出する空気Ａは、大気開放流路１４の通気口１８から流入した空気Ａが大部分であり、開口２４が屋内Ｉ側に開口されていても、臭気を開口２４から屋内Ｉ側に流出させることとは、なり難い。
【００３５】
また、このような正圧弁を並設した弁機構２５Ａは、第１実施形態の通気構造Ｍ１に採用してもよい。
【００３６】
さらに、大気開放流路１４の通気口１８は、屋上階１の床２から上方へ突出する通気筒部１７の上端に配設させる他、図５に示すように、屋上小屋１ａに開口させるように、通気口１８を設けたり、あるいは、図６に示すように、屋上階１の外壁１ｂに開口させるように、通気口１８を設けてもよい。
【図面の簡単な説明】
【００３７】
【図１】本発明の第１実施形態の排水管路の通気構造を示す概略部分縦断面図である。
【図２】第１実施形態に使用する弁機構の作動を示す概略部分縦断面図である。
【図３】第２実施形態の排水管路の通気構造を示す概略部分縦断面図である。
【図４】第２実施形態に使用する弁機構の作動を示す概略部分縦断面図である。
【図５】排水管路の通気口の変形例を示す概略部分縦断面図である。
【図６】排水管路の通気口の他の変形例を示す概略部分縦断面図である。
【符号の説明】
【００３８】
１…屋上階、
８…最上階、
１２…排水管路、
１４…大気開放流路、
１８…通気口、
２０・２０Ａ…分岐流路、
２４…開口、
２５・２５Ａ…弁機構、
３５…負圧弁、
３９…正負圧弁、
Ａ…空気、
Ｏ…屋外、
Ｉ…屋内、
Ｍ１・Ｍ２…通気構造。
【図１】
2006322170.tif 000003
【図２】
2006322170.tif 000004
【図３】
2006322170.tif 000005
【図４】
2006322170.tif 000006
【図５】
2006322170.tif 000007
【図６】
2006322170.tif 000008